(57)【要約】【課題】増養殖の種苗となる海藻の発芽体を簡便、かつ、大量に得ることを可能にする海藻類の種苗生産方法を提供する。【解決手段】海藻類の生殖細胞１１を浮遊させた状態で成熟・発芽させることを特徴とする海藻類の種苗生産方法。海藻類の生殖細胞１１を相互に付着させて浮遊させた状態で成熟・発芽させることを特徴とする海藻類の種苗生産方法。海藻類の生殖細胞１１を粒子に付着させた状態で成熟・発芽させることを特徴とする海藻類の種苗生産方法。浮遊発芽体１３を基質に付着させることを特徴とする海藻類の種苗生産方法。【選択図】図１
2006262823.tif 000002
【特許請求の範囲】
【請求項１】
海藻類の生殖細胞を浮遊させた状態で成熟・発芽させることを特徴とする海藻類の種苗生産方法。
【請求項２】
海藻類の生殖細胞を相互に付着させて浮遊させた状態で成熟・発芽させることを特徴とする海藻類の種苗生産方法。
【請求項３】
海藻類の生殖細胞を粒子に付着させた状態で成熟・発芽させることを特徴とする海藻類の種苗生産方法。
【請求項４】
浮遊発芽体を基質に付着させることを特徴とする海藻類の種苗生産方法。
【発明の詳細な説明】
【技術分野】
【０００１】
本発明は、ワカメ、サガラメ、カジメ等の海藻類の種苗生産方法に関するものであり、特に、磯焼け対策用を含めた増殖種苗、並びに海面及び陸上の養殖用種苗の生産方法に係るものである。
【背景技術】
【０００２】
海藻類の種苗生産方法としては、生殖細胞をロープ等の基質に着生させた後、成熟・発芽させるようにしたものが既に知られている。
【０００３】
特開２００４−１８７５７４号公報は、図５に示すように、生殖細胞１を基質３に播種した状態で発芽させた後、発芽体５を該基質３から剥離するようにした方法を開示している。符号１ａに示すものは、成熟した生殖細胞である。
【０００４】
特開平１０−９８９６３号公報は、図６に示すように、生殖細胞１を基質３に付着させた状態で発芽させる方法を開示している。
【０００５】
特開２００２−１７６８６６号公報は、図７に示すように、生殖細胞１を基質３に高密度に播種した状態で発芽させた後、発芽体５を該基質３から剥離し、又は、生殖細胞１を基質３に高密度に播種した後、該生殖細胞１を該基質３から剥離して発芽させるようにした方法を開示している。
【特許文献１】特開２００４−１８７５７４号公報
【特許文献２】特開平１０−９８９６３号公報
【特許文献３】特開２００２−１７６８６６号公報
【発明の開示】
【発明が解決しようとする課題】
【０００６】
上記従来の種苗生産方法においては、生殖細胞を基質に着生又は播種するようしているため、付着可能な放流用種苗を大量に生産することは不可能である。
【０００７】
即ち、上記従来の種苗生産方法においては、生殖細胞を基質に付着させるようにしているため、放流用種苗を大量に生産するためには基質を構成する多数の容器が必要であり、このような容器における付着面積により培養する量が制限を受けることになる。また、上記従来の種苗生産方法においては、生殖細胞を基質に付着させた後、発芽体を該基質から剥離し、又は、生殖細胞を該基質から剥離するようにしているのであるが、発芽体又は生殖細胞を基質から剥ぎ取るには多大な時間と労力とを要するのである。更に、発芽体又は生殖細胞を基質から剥ぎ取る際に、該発芽体又は生殖細胞が切断される等の悪影響を及ぼすことがある。
【０００８】
本発明は、上記従来の種苗生産方法におけるこのような問題を解決し、増養殖の種苗となる海藻の発芽体を簡便、かつ、大量に得ることを可能にする海藻類の種苗生産方法を提供しようとしてなされたものである。
【課題を解決するための手段】
【０００９】
上記課題を解決するために、本発明は、下記の海藻類の種苗生産方法を提供するものである。
【００１０】
（１）海藻類の生殖細胞を浮遊させた状態で成熟・発芽させることを特徴とする海藻類の種苗生産方法（請求項１）。
【００１１】
（２）海藻類の生殖細胞を相互に付着させて浮遊させた状態で成熟・発芽させることを特徴とする海藻類の種苗生産方法（請求項２）。
【００１２】
（３）海藻類の生殖細胞を粒子に付着させた状態で成熟・発芽させることを特徴とする海藻類の種苗生産方法（請求項３）。
【００１３】
（４）浮遊発芽体を基質に付着させることを特徴とする海藻類の種苗生産方法（請求項４）。
【００１４】
本発明における「生殖細胞」は、遊走子、配偶体、配偶子、接合子、四分胞子、果胞子、単子嚢遊走子、中性遊走子等を含むものとする。
【発明の効果】
【００１５】
［請求項１の発明］
請求項１の発明によれば、浮遊状態にあり、かつ、付着可能な放流用種苗を大量に生産することが可能である。即ち、海藻類の生殖細胞を、基質に付着させることなく、浮遊させた状態で、成熟・発芽させるようしているため、基質を構成する容器が不要であり、このような容器における付着面積により培養する量が制限を受けることもない。また、発芽体を基質から剥ぎ取るには作業も不要である。
【００１６】
更に、請求項１の発明によれば、着生効率と生長効率が良い種苗を得ることができる。
【００１７】
着生効率が良い種苗が得られるのは、発芽体では生殖細胞よりも発生段階が進んでいるためであると推測される。
【００１８】
生長効率がよい種苗が得られるのは、発芽段階で最も成熟・生長に適した条件を得ることが容易であり、このことがその後の生長に好影響を与えるためであると推測される。
【００１９】
［請求項２の発明］
請求項２の発明は、上記請求項１の発明と同様の効果を奏すると共に、更に、下記の如き効果を発揮する。
【００２０】
請求項２の発明においては、海藻類の生殖細胞を相互に付着させるようにしたため、同じ中心から発芽させることにより、浮遊状態にあり、かつ、まとまった一塊の藻体群を得ることができる。従って、陸上養殖での選別や収穫が容易になる。
【００２１】
［請求項３の発明］
請求項３の発明は、更に、下記の如き効果を発揮する。
【００２２】
生殖細胞は海水中での沈降速度が遅いが、請求項３の発明においては、海藻類の生殖細胞を粒子に付着させるようにしたため、該粒子が錘の役割を果たす結果、生殖細胞を海中で速やかに海底まで沈降させることが可能となる。即ち、生殖細胞を海中の岩等に容易に付着させることができる。
【００２３】
［請求項４の発明］
請求項４の発明は、更に、下記の如き効果を発揮する。
【００２４】
請求項４の発明においては、海藻類の生殖細胞を浮遊させた状態又は海藻類の生殖細胞を相互に付着させて浮遊させた状態で成熟・発芽させて得られた浮遊発芽体を基質に付着させ、該発芽体を基質に付着させたまま海中に移植する。即ち、最も成熟・生長に適した条件下で発芽させ、得られた発芽体を基質に付着させたまま海中に移植することができる。
【発明を実施するための最良の形態】
【００２５】
次に、本発明による海藻類の種苗生産方法について、図１〜図４を参照して説明する。
【００２６】
図１に示す事例においては、海藻類の生殖細胞１１を浮遊させた状態で成熟・発芽させるようにしている。符号１１ａに示すものは、成熟した生殖細胞である。符号１３に示すものは、発芽体である。
【００２７】
海藻類の生殖細胞１１は、水流により、基質への付着が阻止される。
【００２８】
上記水流は、例えば、スターラー（攪拌器）、エアレーション、シェイカー等により発生される。
【００２９】
上記水流は、例えば、５００ｍｌ三角フラスコに５００ｍｌの培地（海水）を入れ、長さ４ｃｍのスターラーバー（回転子）を３００回転／分以上で回転させたときに得られる水流、又は、エアレーションにより攪拌して得られる程度の水流が望ましい。
【００３０】
図２に示す事例においては、海藻類の生殖細胞１１を相互に付着させて浮遊させた状態で成熟・発芽させるようにしている。
【００３１】
この事例においては、同じ中心から発芽させることにより、浮遊状態にあり、かつ、まとまった一塊の発芽体（藻体群）１３が得られる。
【００３２】
この事例において得られる発芽体１３は、一例として、陸上養殖用の種苗となる。
【００３３】
図３に示す事例においては、海藻類の生殖細胞１１を粒子１５に付着させた状態で成熟・発芽させるようにしている。なお、図３においては、複数個の生殖細胞１１を複数個の粒子１５に付着させているが、複数個の生殖細胞１１を１個の粒子１５に付着させ、或いは各生殖細胞１１をそれぞれ１個の粒子１５に付着させても差し支えない。
【００３４】
粒子１５としては、例えば、砂、カオリン、海中の懸濁物質等の直径１ｍｍ以下のものが好ましく用いられる。
【００３５】
例えば、ワカメ配偶体を砂に付着させ、培養することにより、砂に付着した発芽体を得ることができる。なお、この発芽体の単独での沈降速度は１ｍｍ／秒以下であるが、砂に付着した発芽体の沈降速度は、発芽体単独の沈降速度よりも明らかに速い。
【００３６】
図４に示す事例においては、上述の如く海藻類の生殖細胞１１を浮遊させた状態又は海藻類の生殖細胞１１を相互に付着させて浮遊させた状態で成熟・発芽させて得られた発芽体（浮遊発芽体）１３を基質１７に付着させ、該発芽体１３を基質１７に付着させたまま海中に移植するようにしている。
【００３７】
基質１７としては、例えば、ロープ、コンクリートブロック等が好ましく用いられる。
【００３８】
なお、本発明において得られる発芽体１３の使用態様は、上述の如く（イ）発芽体１３を基質１７に付着させ、該発芽体１３を基質１７に付着させたまま海中に移植することの他、（ロ）浮遊状態で発芽させた発芽体１３を海中（天然海域）で岩等に付着させること、及び（ハ）浮遊状態で発芽させた発芽体１３を浮遊させたまま養殖することが考えられる。
【実施例１】
【００３９】
ワカメから遊走子（生殖細胞）を放出させ、鉄無添加Ｐｒｏｖａｓｏｌｉ栄養添加培地中（西沢一俊ら編「藻類研究法」（共立出版））で生長させることにより、マリモ状の配偶体（生殖細胞）を得た。この配偶体をミキサーで１０細胞以下の配偶体に細断し、雌雄配偶体を２Ｌ三角フラスコ中で光量６０μＥｍ・２ｓ・１、光周期１２時間明期：１２時間暗期、水温１８℃、Ｐｒｏｖａｓｏｌｉ栄養添加培地中でエアレーションにより攪拌しながら１２日間培養することにより、浮遊発芽体を約５０万個得た。これらの発芽体のうち、一部のものは、発芽体同士で付着した。
【００４０】
このようにして得られた浮遊発芽体を養殖用種苗糸とコンクリートとに播種し、５００Ｌの海水を満たした室内に設置した水槽において、流水・通気条件で５０日間培養した。
【００４１】
その結果、浮遊胞子体調整後５０日目の着生数及び葉長は種苗糸１本あたり約１７個体、葉長約３．５ｍｍを示した。従来の方法による浮遊配偶体では、調整後５０日目の種苗糸１本あたり約１２個体、葉長約１．５ｍｍであった。即ち、この実施例においては、従来の方法よりも優れた種苗が得られた。
【実施例２】
【００４２】
サガラメから遊走子を放出させ、鉄無添加Ｐｒｏｖａｓｏｌｉ栄養添加培地中で生長させることにより、マリモ状の配偶体を得た。この配偶体をミキサーで１ｍｍ以下の配偶体に細断し、２Ｌ三角フラスコ中で光量６０μＥｍ・２ｓ・１、光周期１２時間明期：１２時間暗期、水温１８℃、Ｐｒｏｖａｓｏｌｉ栄養添加培地中でエアレーションにより攪拌しながら１３日間培養することにより、発芽体が基部で数十個連なった浮遊発芽塊を約６０個得た。更に、これを同条件で４週間培養し、それぞれの発芽体が１〜２ｃｍになった養殖用種苗を得た。この種苗を屋内に設置した５００Ｌの駿河湾深層水を満たした水槽において流水・通気条件下で３ヶ月培養することにより、約１５ｃｍに生長した発芽体を得た。
【図面の簡単な説明】
【００４３】
【図１】本発明による海藻類の種苗生産方法の一例を概略的に示す説明図である。
【図２】同上種苗生産方法の別の一例を概略的に示す説明図である。
【図３】同上種苗生産方法の更に別の一例を概略的に示す説明図である。
【図４】同上種苗生産方法の更に別の一例を概略的に示す説明図である。
【図５】従来の種苗生産方法の一例を概略的に示す説明図である。
【図６】従来の種苗生産方法の別の一例を概略的に示す説明図である。
【図７】従来の種苗生産方法の更に別の一例を概略的に示す説明図である。
【符号の説明】
【００４４】
１  生殖細胞
１ａ  成熟した生殖細胞
３  基質
５  発芽体
１１  生殖細胞
１１ａ  成熟した生殖細胞
１３  発芽体
１５  粒子
１７  基質
【図１】
2006262823.tif 000003
【図２】
2006262823.tif 000004
【図３】
2006262823.tif 000005
【図４】
2006262823.tif 000006
【図５】
2006262823.tif 000007
【図６】
2006262823.tif 000008
【図７】
2006262823.tif 000009